(57)【要約】【課題】小型化が可能であり、遊技盤における占有面積を縮小させることができる球入賞装置及びその配設構造を提供すること。【解決手段】球入賞装置１は、遊技盤５における遊技領域を流下する遊技球８を入賞させる入賞口２１を形成してなる球通過本体部２と、入賞口２１を開閉する入賞扉３とを有している。球通過本体部２の前方には、遊技盤５の前面５０１に配置する表面装飾部２２が設けてある。表面装飾部２２は、入賞扉３の下方に配設した装飾下部２２１と、装飾下部２２１から延長形成し入賞扉３の左右両側に配設した一対の装飾側部２２２とによって構成してある。【選択図】図２
2007190282.tif 000002
【特許請求の範囲】
【請求項１】
遊技機における遊技盤に配設する球入賞装置であって、
該球入賞装置は、上記遊技盤における遊技領域を流下する遊技球を入賞させる入賞口を形成してなる球通過本体部と、上記入賞口を開閉する入賞扉とを有しており、
上記球通過本体部の前方には、上記遊技盤の前面に配置する表面装飾部が設けてあり、
該表面装飾部は、上記入賞扉の下方に配設した装飾下部と、該装飾下部から延長形成し上記入賞扉の左右両側に配設した一対の装飾側部とによって構成してあることを特徴とする球入賞装置。
【請求項２】
遊技機における遊技盤に球入賞装置を配設してなる構造であって、
該球入賞装置は、上記遊技盤における遊技領域を流下する遊技球を入賞させる入賞口を形成してなる球通過本体部と、上記入賞口を開閉する入賞扉とを有しており、
上記球通過本体部は、上記遊技盤に形成した開口穴内に配設してあると共に、その前方には、上記遊技盤の前面に配置する表面装飾部が設けてあり、
該表面装飾部は、上記入賞扉の下方に配設した装飾下部と、該装飾下部から延長形成し上記入賞扉の左右両側に配設した一対の装飾側部とによって構成してあり、
上記入賞扉により上記入賞口を閉じた状態においては、当該入賞扉の上端面を、上記開口穴の内壁面に対向させてなることを特徴とする球入賞装置の配設構造。
【発明の詳細な説明】
【技術分野】
【０００１】
本発明は、遊技機における遊技盤に形成した入賞口へ、遊技球を入賞させる球入賞装置及びその配設構造に関する。
【背景技術】
【０００２】
パチンコ遊技機等の遊技機においては、遊技を構成する遊技盤に形成した入賞口の開閉を行う電動式の球入賞装置が使用されている。この球入賞装置は、遊技盤における他の入賞部等へ遊技球が入賞したことにより、変動する図柄が特定の組合せとなったことを受けて、ソレノイド等の動力源を用いて入賞口を開閉させるよう構成されている。このような球入賞装置としては、例えば、特許文献１に開示されたものがある。
【０００３】
特許文献１の電動式入賞装置においては、装飾基板に対して、開閉入賞口を開閉する開閉玉受部材を、電動アクチュエータによって起倒回動するよう組み付けている。そして、開閉玉受部材が開閉軸を中心として起立された閉じ位置に配置されたときには、開閉入賞口が閉鎖され、開閉玉受部材が開閉軸を中心として前側に倒された開放位置に配置されたときには、開閉玉受部材の玉受板によってパチンコ玉を受け止めて、このパチンコ玉を開閉入賞口に案内することができる。
【０００４】
しかしながら、上記特許文献１等の従来の球入賞装置においては、次の問題点がある。
すなわち、近年の遊技盤においては、よりスケールの大きな遊技を演出するために、液晶画面等の画像表示部が拡大する傾向にある。そして、この画像表示部が拡大すると、その周囲に配設する上記球入賞装置等の占有スペースが縮小されることになる。そのため、遊技盤において球入賞装置が占める面積を小さくするために、球入賞装置を小型化する必要が生じている。
【０００５】
【特許文献１】特許第３６１１９４７号公報
【発明の開示】
【発明が解決しようとする課題】
【０００６】
本発明は、かかる従来の問題点に鑑みてなされたもので、小型化が可能であり、遊技盤における占有面積を縮小させることができる球入賞装置及びその配設構造を提供しようとするものである。
【課題を解決するための手段】
【０００７】
第１の発明は、遊技機における遊技盤に配設する球入賞装置であって、
該球入賞装置は、上記遊技盤における遊技領域を流下する遊技球を入賞させる入賞口を形成してなる球通過本体部と、上記入賞口を開閉する入賞扉とを有しており、
上記球通過本体部の前方には、上記遊技盤の前面に配置する表面装飾部が設けてあり、
該表面装飾部は、上記入賞扉の下方に配設した装飾下部と、該装飾下部から延長形成し上記入賞扉の左右両側に配設した一対の装飾側部とによって構成してあることを特徴とする球入賞装置にある（請求項１）。
【０００８】
本発明の球入賞装置は、上記表面装飾部の構造に工夫を行っており、この表面装飾部を上記装飾下部と一対の装飾側部とによって構成している。そして、表面装飾部は、上記入賞扉の上方に位置する部位に装飾上部を有しておらず、表面装飾部の一部が、入賞扉の上方に位置することがない。これにより、表面装飾部の一部が入賞扉の上方において占有する面積を無くすことができる。
それ故、本発明の球入賞装置によれば、その小型化が可能であり、当該球入賞装置が遊技盤において占有する面積を縮小させることができる。
【０００９】
第２の発明は、遊技機における遊技盤に球入賞装置を配設してなる構造であって、
該球入賞装置は、上記遊技盤における遊技領域を流下する遊技球を入賞させる入賞口を形成してなる球通過本体部と、上記入賞口を開閉する入賞扉とを有しており、
上記球通過本体部は、上記遊技盤に形成した開口穴内に配設してあると共に、その前方には、上記遊技盤の前面に配置する表面装飾部が設けてあり、
該表面装飾部は、上記入賞扉の下方に配設した装飾下部と、該装飾下部から延長形成し上記入賞扉の左右両側に配設した一対の装飾側部とによって構成してあり、
上記入賞扉により上記入賞口を閉じた状態においては、当該入賞扉の上端面を、上記開口穴の内壁面に対向させてなることを特徴とする球入賞装置の配設構造にある（請求項２）。
【００１０】
本発明の球入賞装置の配設構造においては、上記装飾下部と一対の装飾側部とによって構成した表面装飾部を有する球入賞装置を用いている。そして、球入賞装置における入賞扉により上記入賞口を閉じた状態においては、入賞扉の上端面は、遊技盤における開口穴の内壁面に対向している。
【００１１】
これにより、表面装飾部の一部が、入賞扉の上方に位置することがなく、遊技盤における開口穴において、表面装飾部の一部が入賞扉の上方において占有する面積を無くすことができる。
それ故、本発明の球入賞装置の配設構造によれば、球入賞装置の小型化が可能であり、当該球入賞装置が遊技盤において占有する面積を縮小させることができる。
【発明を実施するための最良の形態】
【００１２】
上述した第１、第２の発明における好ましい実施の形態につき説明する。
上記第１、第２の発明において、上記球入賞装置は、電動式の球入賞装置とすることができ、上記入賞扉は、ソレノイド等のアクチュエータによって上記入賞口の開閉を行うよう構成することができる。
また、上記入賞扉は、その装飾下部に回動軸を有し、この回動軸を中心にして、遊技盤の前方側へ回動するよう構成することができる。
【００１３】
また、上記第２の発明において、上記入賞扉が上記入賞口を閉じた状態においては、入賞扉の前面を、遊技盤の前面と略同一面にする又は遊技盤の前面よりも後方側（奥側）に位置させることが好ましい。この場合には、入賞扉が入賞口を閉じた状態において、入賞扉の上端面に、上方から流下する遊技球が衝突してしまうことを防止することができる。
また、この場合には、入賞扉の上端面又は下端面から、操作棒等の不正物を挿入して入賞扉を不正に開けることをより困難にすることができる。
【００１４】
一方、上記入賞扉が上記入賞口を閉じた状態において、入賞扉の前面を、遊技盤の前面よりも前方側（手前側）に位置させたときには、入賞扉の前面側の上端角部に、面取り部を形成することが好ましい。この場合には、入賞扉が入賞口を閉じた状態において、入賞扉の上方から流下する遊技球は、上記面取り部に衝突させて下方へ流下させることができる。また、この場合においても、入賞扉の後面を、遊技盤の前面よりも後方側（奥側）に位置させることにより、入賞扉の上端面又は下端面から操作棒等の不正物を挿入して入賞扉を不正に開けることをより困難にすることができる。
【実施例】
【００１５】
以下に、本発明の球入賞装置及びその配設構造にかかる実施例につき、図面と共に説明する。
本例の球入賞装置１は、図１に示すごとく、パチンコ遊技機１０における遊技盤５に配設する電動式の球入賞装置である。この球入賞装置１は、図２〜図４に示すごとく、遊技盤５における遊技領域５０を流下する遊技球８を入賞させる入賞口２１を形成してなる球通過本体部２と、入賞口２１を開閉する入賞扉３とを有している。
【００１６】
図２に示すごとく、球通過本体部２の前方には、遊技盤５の前面５０１に配置する表面装飾部２２が設けてある。この表面装飾部２２は、入賞扉３の下方に配設した装飾下部２２１と、この装飾下部２２１から延長形成し入賞扉３の左右両側に配設した一対の装飾側部２２２とによって構成してある。
また、図２、図３、図５、図６に示すごとく、入賞扉３は、その下辺部３２に回動軸３２１を有しており、この回動軸３２１を中心にして、遊技盤５の前方側へ回動するよう構成してある。また、図４、図７に示すごとく、入賞扉３は、アクチュエータ４１によって入賞口２１の開閉を行うよう構成してある。
【００１７】
以下に、本例の球入賞装置１及びその配設構造につき、図１〜図８と共に詳説する。
図１に示すごとく、本例のパチンコ遊技機１０は、上下左右の枠部によって構成した外枠６１の前面に、前枠６２を開閉可能に配設してなり、この前枠６２の前面に、ガラス扉６３を開閉可能に配設してなる。また、ガラス扉６３の下方には、球皿６４１、操作ハンドル６４２及び灰皿６４３等を配設した前面部材６４が配設してある。
【００１８】
また、前枠６２には、遊技球８の遊技領域５０を形成する遊技盤５が配設してある。そして、球発射装置から遊技領域５０へ発射された遊技球８は、遊技盤５の正面とガラス扉６３におけるガラス板６３１との間を流下する（図３参照）。
そして、図３、図４に示すごとく、球通過本体部２の入賞口２１に入賞した遊技球８は、球通過本体部２における球通路２０を通過して、入賞認知を行う部位まで導かれるようになっている。
【００１９】
また、図１に示すごとく、遊技盤５の正面には、液晶画面等により変動する図柄を表示する画像表示部５２が配設してあり、この画像表示部５２の下方には、一対の入賞翼の間に遊技球８を入賞させることができる電動役物５３が配設してある。この電動役物５３は、始動入賞装置の役目を有している。そして、電動役物５３に遊技球８が入賞し、かつ画像表示部５２に表示された図柄が特定の組合せで停止したときには、上記アクチュエータ４１が球入賞装置１の入賞扉３を回動させることにより、球入賞装置１の球通過本体部２における入賞口２１が開くよう構成されている。
また、本例の球入賞装置１は、上記電動役物５３の下方に配設してあり、遊技盤５における球入賞装置１の下方位置には、遊技球８のアウト口５４が形成してある。
【００２０】
また、図２、図３、図８に示すごとく、遊技盤５には、球入賞装置１の球通過本体部２を配置するための開口穴５１が形成してある。遊技盤５は、ベニヤ板からなる遊技板を用いて構成してあり、開口穴５１は、遊技板に穴明け加工を行って形成してある。
また、球入賞装置１を遊技盤５に配設した状態において、入賞扉３により入賞口２１を閉じた状態においては、球入賞装置１における入賞扉３の上端面３１は、遊技盤５における開口穴５１の上側内壁面５１１に対向している。そして、開口穴５１の上側内壁面５１１の近傍には、表面装飾部２２の一部が配置されていない。
【００２１】
また、図２〜図４に示すごとく、本例の入賞扉３を開閉させるアクチュエータ４１は、可動部４１１を直線的に往復移動させるソレノイドである。このソレノイドの可動部４１１には、球入賞装置１における左右方向にスライドするスライド部材４２が係合しており、このスライド部材４２には、球入賞装置１における前後方向に設けた支軸に支持されて回動する回動部材４３が係合している。また、回動部材４３のアーム先端部４３１は、入賞扉３の側辺部に設けた係合突起３３に上下方向へ移動可能に係合している。
【００２２】
そして、図２〜図４に示すごとく、アクチュエータ４１がスライド部材４２を右方向（正面から見て）へスライドさせたときには、回動部材４３のアーム先端部４３１が下方向へ回動し、入賞扉３が入賞口２１を閉じるよう構成されている。
一方、図５〜図７に示すごとく、アクチュエータ４１がスライド部材４２を左方向（正面から見て）へスライドさせたときには、回動部材４３のアーム先端部４３１が上方向へ回動し、入賞扉３が入賞口２１を開けるよう構成されている。
【００２３】
図３、図４に示すごとく、表面装飾部２２には、入賞扉３の前方に対向させた前カバー２３が配設してある。これにより、図６、図７に示すごとく、ガラス扉６３におけるガラス板６３１と、入賞口２１を開け前方に傾倒した状態の入賞扉３の上端部との間に遊技球８が引っ掛かってしまうことを防止することができる。また、前カバー２３を配設することにより、入賞扉３の高さ寸法を小さく抑えることができ、球入賞装置１の小型化を図ることができる。
【００２４】
また、図３において、点線で示すように、前カバー２３の上端部を上方へ長くし、前カバー２３によって、入賞口２１を閉じた状態の入賞扉３の上端面３１と、遊技盤５における開口穴５１の上側内壁面５１１との間に形成される隙間を球入賞装置１における正面から覆うことができる。これにより、遊技者が不正に上記隙間から球入賞装置１を操作することを阻止することができ、球入賞装置１における防犯性を向上させることができる。
【００２５】
また、図３に示すごとく、本例の球入賞装置１の配設構造においては、入賞扉３が入賞口２１を閉じた状態において、入賞扉３の前面を遊技盤５の前面５０１よりも後方側（奥側）に位置させることが好ましい。本例においては、入賞扉３が入賞口２１を閉じた状態において、入賞扉３の前面と遊技盤５の前面５０１とは、略面一の状態になっている。これにより、入賞扉３が入賞口２１を閉じた状態において、入賞扉３の上端面３１に、上方から流下する遊技球８が衝突してしまうことを防止することができる。
【００２６】
また、入賞扉３の後面を遊技盤５の前面５０１よりも後方側に位置させる、好ましくは、入賞扉３の前面と遊技盤５の前面５０１とを略面一の状態にする、より好ましくは、入賞扉３の前面を遊技盤５の前面５０１よりも後方側に位置させることにより、入賞扉３の上端面３１又は下端面から、操作棒等の不正物を挿入して入賞扉３を不正に開けることをより困難にすることができる。
【００２７】
また、図２、図８に示すごとく、遊技盤５における開口穴５１は、ドリルを移動させて穴明け加工してあり、開口穴５１の角部には、Ｒ形状（円弧状角部）が形成されている。また、入賞扉３の左右における上方角部は、上記開口穴５１の上側内壁面５１１における一部のＲ形状に沿ったＲ形状に形成してある。これにより、入賞扉３の上端面３１を開口穴５１の上側内壁面５１１に容易に対向させることができる。
【００２８】
また、本例の球入賞装置１は、入賞扉３の上方位置に表面装飾部２２の一部を有していないため、遊技盤５に貼られたセルロイドにおいて開口穴５１の上方に位置する部分は、球入賞装置１によって押さえておくことができない。そのため、図１に示すごとく、上記開口穴５１の上方に位置するセルロイドの部分は、球入賞装置１の上方に配設する上記電動役物５３等の始動入賞装置によって押さえておくことができる。
また、図３に示すごとく、遊技盤５の開口穴５１内に配置した球通過本体部２において、遊技盤５の裏面（後面）に突出した部分の上方には、この部分へ上方から異物が混入することを防止するための異物混入防止壁５５が形成してある。
【００２９】
本例の球入賞装置１は、図２に示すごとく、表面装飾部２２を装飾下部２２１と一対の装飾側部２２２とによって構成しており、表面装飾部２２は、入賞扉３の上方に位置する部位に装飾上部を有していない。これにより、表面装飾部２２の一部が、入賞扉３の上方に位置することがなく、表面装飾部２２の一部が入賞扉３の上方において占有する面積を無くすことができる。
【００３０】
また、図２、図３に示すごとく、球入賞装置１を遊技盤５に配設した状態においては、入賞扉３により入賞口２１を閉じた状態において、入賞扉３の上端面３１は、遊技盤５における開口穴５１の上側内壁面５１１に対向している。これにより、図１に示すごとく、遊技盤５においては、球入賞装置１の上端に限りなく隣接して上記電動役物５３等の別部品を配設することができる。そのため、球入賞装置１と、球入賞装置１の上方に配設した別部品との間の距離を極力小さくすることができる。
【００３１】
それ故、本例の球入賞装置１及びその配設構造によれば、球入賞装置１の小型化が可能であり、当該球入賞装置１が遊技盤５において占有する面積を縮小させることができる。
【図面の簡単な説明】
【００３２】
【図１】実施例における、遊技機を示す正面図。
【図２】実施例における、入賞扉が入賞口を閉じた状態の球入賞装置を示す正面図。
【図３】実施例における、入賞扉が入賞口を閉じた状態の球入賞装置の断面を、左右方向から見た状態で示す断面図。
【図４】実施例における、入賞扉が入賞口を閉じた状態の球入賞装置の断面を、上下方向から見た状態で示す断面図。
【図５】実施例における、入賞扉が入賞口を開けた状態の球入賞装置を示す正面図。
【図６】実施例における、入賞扉が入賞口を開けた状態の球入賞装置の断面を、左右方向から見た状態で示す断面図。
【図７】実施例における、入賞扉が入賞口を開けた状態の球入賞装置の断面を、上下方向から見た状態で示す断面図。
【図８】実施例における、球入賞装置及び遊技盤における開口穴を、遊技盤の裏面側から見た状態で示す裏面図。
【符号の説明】
【００３３】
１０  遊技機
１  球入賞装置
２  球通過本体部
２１  入賞口
２２  表面装飾部
２２１  装飾下部
２２２  装飾側部
３  入賞扉
３１  上端面
５  遊技盤
５１  開口穴
５３  電動役物
８  遊技球
【図１】
2007190282.tif 000003
【図２】
2007190282.tif 000004
【図３】
2007190282.tif 000005
【図４】
2007190282.tif 000006
【図５】
2007190282.tif 000007
【図６】
2007190282.tif 000008
【図７】
2007190282.tif 000009
【図８】
2007190282.tif 000010